(57)【要約】【課題】  車両がドライブスルーを利用しようとしていることを正確に認識し、誤動作なく自動的に車載用オーディオ装置の音量を減衰または零にすることができる音量制御装置を提供する。【解決手段】  ドライブスルーで利用できる施設を探索して車両を案内するように構成した車載用ナビゲーション装置から出力される情報信号に基づき車載用オーディオ装置の音量を減衰または零に制御する音量制御装置であって、車載用ナビゲーション装置から出力される車速情報信号と車両の向きを示す情報信号とに基づき、車両がドライブスルーを利用しようとしているか否かを認識し、この認識結果により、車載用オーディオ装置へ音量を減衰または零にする。【選択図】  図１
2005340871.tif 000002
【特許請求の範囲】
【請求項１】
ドライブスルーで利用できる施設を探索して車両を案内するように構成した車載用ナビゲーション装置から出力される情報信号に基づき、車載用オーディオ装置の音量を減衰または零に制御する音量制御装置であって、
前記車載用ナビゲーション装置から出力される車速情報信号と車両の向きを示す情報信号とに基づき、車両がドライブスルーを利用しようとしているか否かを認識し、この認識結果により、前記車載用オーディオ装置へ音量を減衰または零にする指令を出力して音量を減衰または零に制御するように構成したことを特徴とする音量制御装置。
【請求項２】
ドライブスルーで利用できる施設を探索して車両を案内するように構成した車載用ナビゲーション装置から出力される情報信号に基づき、車載用オーディオ装置の音量を減衰または零に制御する音量制御装置であって、
前記車載用ナビゲーション装置から出力される情報信号に基づき、車両の現在地がドライブスルーで利用可能な施設に位置し、かつ車両が停車状態でかつ車両のウィンドが開いている状態にあり、かつ車両の向きが道路と平行でない状態にあることを確認したときに、車両がドライブスルーを利用しようとしていると認識し、前記車載用オーディオ装置へ音量を減衰または零にする指令を出力して音量を減衰または零に制御するように構成したことを特徴とする音量制御装置。
【請求項３】
ドライブスルーで利用が可能か否かを示すデータを有する施設データベースを使用してドライブスルーでの利用が可能な施設を探索し、その結果を出力する現在位置情報検出部と、車速パルス信号から車両速度を検出する車速検出部と、車両の向きを検出する車両の向き検出部とを備えた車載用ナビゲーション装置と、
車両に付属するパワーウィンドの開閉を制御するパワーウィンド制御部と、
車載用オーディオ装置と、
前記現在位置情報検出部からの現在位置情報信号と、前記車速検出部からの車速情報信号と、前記パワーウィンド制御部からのウィンド開閉状態を示す情報信号と、前記車両の向き検出部からの車両の向きを示す情報信号とをそれぞれ入力し、その入力した各情報信号に基づき、前記車載用オーディオ装置の音量を減衰または零にする指令を出力する情報処理制御部と
を備えた音量制御装置であって、
前記情報処理制御部へ入力される各情報信号に基づき、車両の現在地がドライブスルーで利用可能な施設に位置し、かつ車両が停車状態でかつ車両のウィンドが開いている状態にあり、かつ車両の向きが道路と平行でない状態にあることを確認したときに、車両がドライブスルーを利用しようとしていると認識し、前記車載用オーディオ装置へ音量を減衰または零にする指令を出力して音量を減衰または零に制御するように構成したことを特徴とする音量制御装置。
【請求項４】
施設毎の位置データ、施設の名称、施設のジャンルおよびドライブスルーで利用が可能か否か、またドライブスルーで商品の注文および商品を受け取る際の車両の向きを示すデータにより構成された施設データベースを備え、この施設データベースを使用してドライブスルーで利用できる施設を探索し、車両を案内するように構成した車載用ナビゲーション装置から出力される情報信号に基づき、車載用オーディオ装置の音量を減衰または零に制御する音量制御装置であって、
前記車載用ナビゲーション装置から出力される情報信号に基づき、車両の現在地がドライブスルーで利用可能な施設に位置し、かつ車両が停車状態でかつ車両のウィンドが開いている状態にあり、かつ車両の向きがドライブスルーで商品を注文あるいは商品を受け取ることができる状態にあることを確認したときに、車両がドライブスルーを利用しようとしていると認識し、前記車載用オーディオ装置へ音量を減衰または零にする指令を出力して音量を減衰または零に制御するように構成したことを特徴とする音量制御装置。
【請求項５】
前記車載用ナビゲーション装置は、更に、ドライブスルーで利用可能な施設を目的地または通過点として設定する機能を備え、ドライブスルーで利用可能な施設を目的地または通過点に設定したときに、前記車載用オーディオ装置の音量を減衰または零とする制御動作を可能としたことを特徴とする請求項１から４のうちいずれか一項記載の音量制御装置。
【請求項６】
前記車載用ナビゲーション装置は、更に、ドライブスルーで利用できる施設を目的地設定する際に、単なる目的地設定か、あるいはドライブスルーを利用するための目的地設定かを選択できる機能を備え、ドライブスルーを利用するための目的地設定が選択されたときに、前記車載用オーディオ装置の音量を減衰または零とする制御動作を可能としたことを特徴とする請求項１から５のうちいずれか一項記載の音量制御装置。
【請求項７】
前記車載用ナビゲーション装置は、更に、ドライブスルーで利用可能な施設のランドマークを表示または非表示状態に切り替えできる機能を備え、ドライブスルーで利用可能な施設のランドマークを表示状態としたときには、前記車載用オーディオ装置の音量を減衰または零とする制御動作を可能とし、またドライブスルーで利用可能な施設のランドマークを非表示状態としたときには、前記車載用オーディオ装置の音量を減衰または零とする制御動作をさせないように構成したことを特徴とする請求項１から６のうちいずれか一項記載の音量制御装置。
【発明の詳細な説明】
【技術分野】
【０００１】
本発明は、車載用ナビゲーション装置から出力される情報信号に基づき、車載用オーディオ装置の音量を自動制御することが可能な音量制御装置に係り、特に、車両がドライブスルー利用時に、車載用オーディオ装置へ音量を減衰または零にする指令を出力して音量を減衰または零に自動制御する音量制御装置に関する。
【背景技術】
【０００２】
車載用ナビゲーション装置は、地図データを記録したＤＶＤ−ＲＯＭ等の地図データ記録部と、表示部と、ジャイロと、ＧＰＳ受信部および車速センサ等の車両の現在位置および現在方位を検出する車両位置検出部を備えている。
【０００３】
そして、車両の現在位置を含む地図データを地図データ記憶部から読み出し、その地図データに基づいて車両位置の周囲の地図画像を描画するとともに、車両位置マークを地図画像に重ね合わせて表示し、車両の移動に応じて地図画像をスクロール表示したり、地図画像を画面に固定し、車両の位置マークを移動させたりして、車両が現在どこを走行しているかを一目でわかるように構成している。
【０００４】
また、通常、車載用ナビゲーションには、ユーザーが所望の目的地に向けて道路を間違えることなく容易に走行できるようにした経路誘導機能が搭載されている。
【０００５】
また、従来の車載用ナビゲーション装置には、車速パルス信号から車両速度を検出し、スピーカから放音される音声案内の音量を車両速度に応じて増減するようの構成して、音声案内の音量制御を車両の走行環境に応じて自動的に行い、車載用ナビゲーション装置の使い勝手の向上、および走行中の安全性を高めるようにしたものが提案されている。（例えば、特許文献１参照）
【０００６】
また、従来の車載用オーディオ装置には、車速以外の要因によって、音量を自動的に調整する方法、例えば、車両のドア、ウィンド、サンルーフ、あるいはハッチバックの少なくとも１つが開いたことを検出し、音量を減衰させる方法、あるいは車載用ナビゲーション装置の車両位置検出手段によって、住宅、有料道路の料金所、ドライブスルー、ガソリンスタンド、病院あるいは学校のうち少なくとの１つの位置を検出したときに、車載用オーディオ装置の音量を減衰させる方法が提案されている。（例えば、特許文献２参照）
【０００７】
更に、従来の車載用ナビゲーション装置には、車両が高速道路の料金所等の施設へ接近したときに、車両のウィンドを開けるように制御するとともに、車載用オーディオ装置の音量を検出して、その音量を減衰させるように制御する方法が提案されている。（例えば、特許文献３参照）
【０００８】
【特許文献１】特開平１１−２８１３８８号公報（第２―５頁、第１図）
【特許文献２】特開２０００−４７６７１号公報（第２―４頁、第１図）
【特許文献３】特開２００２−２３６０２３号公報（第２―８頁、第１図）
【発明の開示】
【発明が解決しようとする課題】
【０００９】
ところで、車両から降りることなく短時間で買い物やその他の用事を済ませるには、ドライブスルーで利用できる施設（店舗等）が便利である。現在、ドライブスルーで利用できる施設としては、ファーストフード店、コーヒーショップ、銀行等があり、今後、更に多くのサービスをドライブスルーで利用できることが予想される。
【００１０】
そこで、従来の車載用ナビゲーション装置におけるドライブスルーで利用できる施設を探索することができる機能と、上述したような従来の車載用ナビゲーション装置および車載用オーディオ装置に提案されている技術内容を組み合わせると、ドライブスルーでの商品の注文時、あるいは商品の受け取り時に、自動的に車両のウィンドを開けると同時に、自動的に車載用オーディオ装置の音量を減衰または零とするような機能を備えた音量制御装置を構成することが可能である。
【００１１】
しかし、上述した従来の車載用ナビゲーション装置および車載用オーディオ装置に提案されている技術内容を単に組み合わせるだけでは、ドライブスルー可能な施設を利用しない場合、または利用したくない場合（例えば、店舗で直接商品を購入したい場合）に、次のような問題点が発生する。
【００１２】
まず、ドライブスルー可能な施設に車両が接近した場合、ユーザーがドライブスルーを利用する考えががないときであっても、自動的に車両のウィンドが開き、自動的に車載用オーディオ装置の音量が減衰または零に制御されてしまうという不具合が生じる。また、ドライブスルー可能な施設の付近で手動操作によりウィンドを開けると、自動的に車載用オーディオ装置の音量が減衰または零となる不具合が生じる。更に、ドライブスルー可能な施設付近で、車両を、例えば、信号待ちなどで停車させ、かつウィンドを開けた場合には、自動的に車載用オーディオ装置の音量が減衰または零となる不具合が生じる。
【００１３】
本発明の目的は、上述したような従来の問題点を解消した音量制御装置を提供するものであって、車両がドライブスルーを利用しようとしていることを正確に認識し、誤動作なく車載用オーディオ装置の音量を減衰または零にすることができ、ユーザーが車両に乗車した状態のままで、商品の注文から商品の受け取り、あるいはその他の用事を迅速に済ませることができる音量制御装置を提供することである。
【課題を解決するための手段】
【００１４】
上記の目的を達成するために、本発明の音量制御装置においては、ドライブスルーで利用できる施設を探索して車両を案内するように構成した車載用ナビゲーション装置から出力される情報信号に基づき、車載用オーディオ装置の音量を減衰または零に制御する音量制御装置であって、
上記車載用ナビゲーション装置から出力される車速情報信号と車両の向きを示す情報信号とに基づき、車両がドライブスルーを利用しようとしているか否かを認識し、この認識結果により、上記車載用オーディオ装置へ音量を減衰または零にする指令を出力して音量を減衰または零に制御するように構成したものである。
【００１５】
また、本発明の音量制御装置においては、ドライブスルーで利用できる施設を探索して車両を案内するように構成した車載用ナビゲーション装置から出力される情報信号に基づき、車載用オーディオ装置の音量を減衰または零に制御する音量制御装置であって、
上記車載用ナビゲーション装置から出力される情報信号に基づき、車両の現在地がドライブスルーで利用可能な施設に位置し、かつ車両が停車状態でかつ車両のウィンドが開いている状態にあり、かつ車両の向きが道路と平行でない状態にあることを確認したときに、車両がドライブスルーを利用しようとしていると認識し、上記車載用オーディオ装置へ音量を減衰または零にする指令を出力して音量を減衰または零に制御するように構成したものである。
【００１６】
また、本発明の音量制御装置においては、ドライブスルーで利用が可能か否かを示すデータを有する施設データベースを使用してドライブスルーでの利用が可能な施設を探索し、その結果を出力する現在位置情報検出部と、車速パルス信号から車両速度を検出する車速検出部と、車両の向きを検出する車両の向き検出部とを備えた車載用ナビゲーション装置と、
車両に付属するパワーウィンドの開閉を制御するパワーウィンド制御部と、
車載用オーディオ装置と、
上記現在位置情報検出部からの現在位置情報信号と、上記車速検出部からの車速情報信号と、上記パワーウィンド制御部からのウィンド開閉状態を示す情報信号と、上記車両の向き検出部からの車両の向きを示す情報信号とをそれぞれ入力し、その入力した各情報信号に基づき、上記車載用オーディオ装置の音量を減衰または零にする指令を出力する情報処理制御部と
を備えた音量制御装置であって、
上記情報処理制御部へ入力される各情報信号に基づき、車両の現在地がドライブスルーで利用可能な施設に位置し、かつ車両が停車状態でかつ車両のウィンドが開いている状態にあり、かつ車両の向きが道路と平行でない状態にあることを確認したときに、車両がドライブスルーを利用しようとしていると認識し、上記車載用オーディオ装置へ音量を減衰または零にする指令を出力して音量を減衰または零に制御するように構成することもできる。
【００１７】
更に、本発明の音量制御装置においては、施設毎の位置データ、施設の名称、施設のジャンルおよびドライブスルーで利用が可能か否か、またドライブスルーで商品の注文および商品を受け取る際の車両の向きを示すデータにより構成された施設データベースを備え、この施設データベースを使用してドライブスルーで利用できる施設を探索し、車両を案内するように構成した車載用ナビゲーション装置から出力される情報信号に基づき車載用オーディオ装置の音量を減衰または零に制御する音量制御装置であって、
上記車載用ナビゲーション装置から出力される情報信号に基づき、車両の現在地がドライブスルーで利用可能な施設に位置し、かつ車両が停車状態でかつ車両のウィンドが開いている状態にあり、かつ車両の向きがドライブスルーで商品を注文あるいは商品を受け取ることができる状態にあることを確認したときに、車両がドライブスルーを利用しようとしていると認識し、上記車載用オーディオ装置へ音量を減衰または零にする指令を出力して音量を減衰または零に制御するように構成することもできる。
【００１８】
また、上記車載用ナビゲーション装置は、更に、ドライブスルーで利用可能な施設を目的地または通過点として設定する機能を備え、ドライブスルーで利用可能な施設を目的地または通過点に設定したときに、上記車載用オーディオ装置の音量を減衰または零とする制御動作を可能とすることが効果的である。
【００１９】
また、上記車載用ナビゲーション装置は、更に、ドライブスルーで利用できる施設を目的地設定する際に、単なる目的地設定か、あるいはドライブスルーを利用するための目的地設定かを選択できる機能を備え、ドライブスルーを利用するための目的地設定が選択されたときに、上記車載用オーディオ装置の音量を減衰または零とする制御動作を可能とすることが効果的である。
【００２０】
また、上記車載用ナビゲーション装置は、更に、ドライブスルーで利用可能な施設のランドマークを表示または非表示状態に切り替えできる機能を備え、ドライブスルーで利用可能な施設のランドマークを表示状態としたときには、前記車載用オーディオ装置の音量を減衰または零とする制御動作を可能とし、またドライブスルーで利用可能な施設のランドマークを非表示状態としたときには、上記車載用オーディオ装置の音量を減衰または零とする制御動作をさせないように構成することが効果的である。
【発明の効果】
【００２１】
本発明の音量制御装置は、車両がドライブスルーを利用しようとしていることを正確に認識し、誤動作なく車載用オーディオ装置の音量を減衰または零にすることができ、ユーザーが車両に乗車した状態のままで、商品の注文から商品の受け取り、あるいはその他の用事を迅速に済ませることができる。
【発明を実施するための最良の形態】
【００２２】
ドライブスルーで利用できる施設を探索して車両を案内するように構成した車載用ナビゲーション装置から出力される情報信号に基づき車載用オーディオ装置の音量を減衰または零に制御する音量制御装置であって、車載用ナビゲーション装置から出力される車速情報信号と車両の向きを示す情報信号とに基づき、車両がドライブスルーを利用しようとしているか否かを認識し、この認識結果により、車載用オーディオ装置へ音量を減衰または零にする指令を出力して音量を減衰または零に制御するように構成する。
【実施例１】
【００２３】
本発明に係る音量制御装置の第１の実施例を図１の（ａ）および（ｂ）の基づいて説明する。図１の（ａ）は、音量制御装置の要部構成を示すブロック図である。図１の（ｂ）は、ドライブスルーで利用可能な施設付近における車両の向きを示す説明図である。
【００２４】
まず、第１の実施例の構成について説明する。この第１の実施例において用いられる車載用ナビゲーション装置は、施設毎の位置データと、施設の名称、施設のジャンルおよびドライブスルーでの利用が可能か否かを示すデータ等により構成される施設データベースが記録されているＤＶＤ−ＲＯＭを備えている。また、この施設データベースを利用してドライブスルーで利用可能な施設を探索し、その探索された施設の位置を表示装置に表示するとともに、ユーザーが指定したドライブスルーで利用可能な施設に車両を案内すべく、ユーザーに適宜案内情報を提供するように構成している。
【００２５】
更に、車載用ナビゲーション装置には、図１の（ａ）に示すように、現在位置情報検出部１と、車速検出部２と、車両の向き検出部３および情報処理制御部４とを備えている。現在位置検出部１は、施設データベースを利用して、ドライブスルーでの利用が可能な施設を探索し、その探索された施設の位置を示すランドマークを表示装置の画面上に表示するとともに、ユーザーの操作に応じて、その施設まで車両を案内すべく、適宜案内情報をユーザーに提供する。また、ユーザーが選択したドライブスルーでの利用が可能な施設に車両が位置したときに、情報処理制御部４へ現在位置情報信号を出力するように構成している。
【００２６】
車速検出部２は、車速パルス信号から現在の車両速度を検出し、この車両速度検出結果に基づき、情報処理制御部４へ車両が停車状態にあることを示す車速情報信号を出力するように構成している。
【００２７】
車両の向き検出部３は、図１の（ｂ）に示すように、車両がドライブスルーで利用が可能な施設の付近に位置したときに、車両の向きが道路ａと平行な状態の向きｂにあるか、あるいは車両の向きが道路ａと平行ではない状態の向きｃまたはｄにあるかを判定し、車両の向きが道路ａと平行でない状態の向きｃまたはｄにあると判定したときに、情報処理制御部４へ車両の向きを示す情報信号を出力するように構成している。
【００２８】
情報処理制御装置４は、現在位置検出部１からの現在位置情報信号と、車速検出部２からの車速情報信号と、車両の向き検出部３からの車両の向きを示す情報信号および車両に付属するパワーウィンドの開閉を制御するパワーウィンド制御部５からのウィンドの開閉状態を示す情報信号がそれぞれ入力されている。
【００２９】
したがって、この情報処理制御部４は、入力された各情報信号に基づき、４つの条件が満たされた状態、すなわち、車両の現在位置がドライブスルーで利用可能な施設に位置し、かつ車両が停車状態で、かつ車両のウィンドが開いている状態にあり、かつ車両の向きが道路ａと平行でない状態の向きｃまたはｄにあることを確認したときに、車両がドライブスルーを利用しようとしていると認識し、車載用オーディオ装置６に対して、音量を減衰または零にする指令を出力して車載用オーディオ装置６の音量を減衰または零に制御するように構成している。
【００３０】
なお、情報処理制御部４によって、車両がドライブスルーを利用しようとしている状態にあることを確認する条件としては、車速検出部２からの車両が停車状態にあることを示す情報信号と、車両の向き検出部３からの車両が道路ａと平行でない向きｃまたはｄにあることを示す情報信号の２つの条件がそろったときに、車両がドライブスルーを利用しようとしていると認識させることも可能である。
【００３１】
以上のように、本発明の第１の実施例によれば、ドライブスルーで利用可能な施設を探索し、その探索された結果を画面上に表示するとともに、ユーザーが指定した施設に車両を案内すべく、ユーザーに適宜案内情報を提供する。これにより、ユーザーは、ドライブスルーでの利用可能な施設まで、道路を間違うことなく迅速に到達することができる。
【００３２】
更に、車両がドライブスルーの利用が可能な施設に位置したときは、少なくとも、車両が停車状態にあることを示す情報と、車両が道路と平行でない向きにあることを示す情報とに基づき、車両がドライブスルーを利用しようとしていることをより正確に認識することができるとともに、その認識結果に基づき、演奏中の車載用オーディオ装置６の音量が自動的に減衰または零に制御され、車室内の環境を静音状態とすることができ、自動的に開けられたウィンドから商品の注文や商品の受け取り、あるいは支払いの際の音声や案内情報を聞き逃すことがなくなる。この結果、商品の注文から商品の受け取りおよび支払いまでを間違えることなく、短時間で済ませることができる。
【実施例２】
【００３３】
次に、本発明に係る音量制御装置の第２の実施例を図２に基づいて説明する。図２は、音量制御装置の要部構成を示すブロック図である。なお、上述した第１の実施例と同一の構成については、同一の符号を付して重複した説明は省略する。また、以下に説明する他の実施例についても同様とする。
【００３４】
この第２の実施例は、図１の（ｂ）で示すように、ドライブスルーで利用可能な施設において、商品を注文するときの車両の向きｃを示す施設情報データ、および商品を受け取るときの車両の向きｄを示す施設情報データを施設毎に記録した施設データベースを備えた車載用ナビゲーション装置を用いたことを特長としている。
【００３５】
この施設データベースを利用して、ドライブスルーで利用可能な施設において、ユーザーが商品を注文するときの実際の車両の向きｃ、または商品を受け取るときの実際の車両の向きｄと、施設データベースに記録されている車両の向きとが一致しているかどうかを検出する施設情報検出部７を備え、その検出結果に基づき、施設情報信号を情報処理制御部４へ出力するように構成している。
【００３６】
以上のように、この第２の実施例によれば、情報処理制御装置４において、入力される各情報信号に基づき、４つの条件が満たされた状態、すなわち、車両の現在地がドライブスルーで利用可能な施設に位置し、かつ車両が停車状態で、かつ車両のウィンドが開いている状態にあり、かつ車両の向きが商品を注文するときの向きｃ、または商品を受け取るときの向きｄにあると確認したときは、車両がドライブスルーを利用しようとしていると認識し、車載用オーディオ装置６へ音量を減衰または零にする指令を出力して車載用オーディオ装置６の音量を減衰または零に制御することができる。
【００３７】
したがって、車両がドライブスルーの利用が可能な施設に位置したときは、上述した第１の実施例の場合に情報処理制御部４へ入力した各情報信号に加えて、商品を注文するときの車両の向きｃを示す施設情報データ、および商品を受け取るときの車両の向きｄを示す施設情報データを有する施設データベースを利用することにより、車両がドライブスルーを利用しようとしていることをより正確に認識することができる。また、その認識結果に基づき、演奏中の車載用オーディオ装置６の音量が自動的に減衰または零に制御され、車室内の環境を静音状態とすることができ、自動的に開けられたウィンドから商品の注文や商品の受け取り、あるいは支払いの際の音声や案内情報を聞き逃すことがなくなる。この結果、商品の注文から商品の受け取りおよび支払いまでを間違えることなく、短時間で済ませることができる。
【実施例３】
【００３８】
次に、本発明に係る音量制御装置の第３の実施例について、図２に基づき説明する。
この第３の実施例は、車載用ナビゲーション装置に、ドライブスルーで利用可能な施設を目的地または通過点として設定する機能を備え、ドライブスルーで利用可能な施設を目的地または通過点に設定したときに、車載用オーディオ装置の音量を減衰または零とする制御動作に入ることを可能としたことを特長としている。
【００３９】
車載用ナビゲーション装置に備えたドライブスルーで利用可能な施設を目的地または通過点として設定する機能を利用して、ユーザーが所望のドライブスルーで利用可能な施設を目的地として選択すると、車載用ナビゲーション装置は、選択された施設へ車両を案内することができる。一方、ドライブスルーで利用可能な施設を通過点としてユーザーが選択すると、車載用ナビゲーション装置は、ドライブスルーで利用可能な施設を通過点として設定し、選択された施設を通って目的地まで車両を案内することができる。
【００４０】
このように、ドライブスルーで利用可能な施設を目的地または通過点に設定されたときは、目的地設定機能８から情報処理制御部４へ通知し、所定の条件が満たされた時に、車載用オーディオ装置の音量を減衰または零とする制御動作に入ることを可能している。
【００４１】
すなわち、車載用ナビゲーション装置がドライブスルーで利用可能な施設を目的地または通過点として設定された状態にあることに加えて、情報処理制御装置４に入力される各情報信号がそれぞれの条件を満たした状態、例えば、上述した第２の実施例のように、車両の現在地がドライブスルーで利用可能な施設に位置し、かつ車両が停車状態で、かつ車両のウィンドが開いている状態にあり、かつ車両の向きが商品を注文するときの向きｃ、または商品を受け取るときの向きｄにあると確認したときは、車両がドライブスルーを利用しようとしていると認識し、車載用オーディオ装置６へ音量を減衰または零にする指令を出力して車載用オーディオ装置６の音量を減衰または零に制御することができる。
【００４２】
以上のように、この第３の実施例によれば、上述した第１および第２の実施例における情報処理制御装置４へ入力される各情報信号の条件に、この第３の実施例における目的地設定の条件を更に追加、または組み合わせて用いることにより、車両がドライブスルーを利用しようとしていると認識する精度を著しく高めることができ、車載用オーディオ装置６の音量を確実に減衰または零に制御することができる。
【実施例４】
【００４３】
次に、本発明に係る音量制御装置の第４の実施例について、図２に基づき説明する。
この第４の実施例は、車載用ナビゲーション装置において、ドライブスルーで利用できる施設を目的地設定する際に、単なる目的地設定か、あるいはドライブスルーを利用するための目的地設定かを選択できる機能を備え、ドライブスルーを利用するための目的地設定が選択されたときに、車載用オーディオ装置６の音量を減衰または零とする制御動作に入ることを可能としたことを特長としている。
【００４４】
このように、第４の実施例は、ドライブスルーで利用可能な施設を目的地設定する際に、ドライブスルーを利用するための目的地設定かを選択したときに、目的地設定機能８から情報処理制御部４へ通知し、所定の条件が満たされた時に、車載用オーディオ装置の音量を減衰または零とする制御動作に入ることを可能している。
【００４５】
すなわち、車載用ナビゲーション装置において、ドライブスルーで利用できる施設を目的地設定する際に、ドライブスルーを利用するための目的地設定を選択された状態にあることに加えて、情報処理制御装置４に入力される各情報信号がそれぞれの条件を満たした状態、例えば、上述した第２の実施例のように、車両の現在地がドライブスルーで利用可能な施設に位置し、かつ車両が停車状態で、かつ車両のウィンドが開いている状態にあり、かつ車両の向きが商品を注文するときの向きｃ、または商品を受け取るときの向きｄにあると確認したときに、車両がドライブスルーを利用しようとしていると認識し、車載用オーディオ装置６へ音量を減衰または零にする指令を出力して車載用オーディオ装置６の音量を減衰または零に制御することができる。
【００４６】
以上のように、この第４の実施例によれば、上述した第１の実施例から第３の実施例における情報処理制御装置４へ入力される各情報信号の条件に、この第４の実施例におけるドライブスルーを利用するための目的地設定の条件を更に追加、または組み合わせて用いることにより、車両がドライブスルーを利用しようとしていると認識する精度を著しく高めることができ、車載用オーディオ装置６の音量を確実に減衰または零に制御することができる。
【実施例５】
【００４７】
次に、本発明に係る音量制御装置の第５の実施例について、図２に基づき説明する。
この第５の実施例は、車載用ナビゲーション装置において、更に、ドライブスルーで利用可能な施設のランドマークを表示または非表示状態に切り替えできる機能を備え、ドライブスルーで利用可能な施設のランドマークを表示状態としたときには、車載用オーディオ装置の音量を減衰または零とする制御動作に入ることを可能とし、またドライブスルーで利用可能な施設のランドマークを非表示状態としたときには、車載用オーディオ装置の音量を減衰または零とする制御動作をさせないように構成したことを特長としている。
【００４８】
このように、第５の実施例は、ドライブスルーで利用可能な施設のランドマークを表示するように選択したときに、ランドマーク表示／非表示切替機能９から情報処理制御部４へ通知し、所定の条件が満たされた時に、車載用オーディオ装置の音量を減衰または零とする制御動作に入ることを可能している。
【００４９】
すなわち、車載用ナビゲーション装置において、ドライブスルーで利用できる施設のランドマークを表示状態にあることに加えて、情報処理制御装置４に入力される各情報信号がそれぞれの条件を満たした状態、例えば、上述した第２の実施例のように、車両の現在地がドライブスルーで利用可能な施設に位置し、かつ車両が停車状態で、かつ車両のウィンドが開いている状態にあり、かつ車両の向きが商品を注文するときの向きｃ、または商品を受け取るときの向きｄにあると確認したときに、車両がドライブスルーを利用しようとしていると認識し、車載用オーディオ装置６へ音量を減衰または零にする指令を出力して車載用オーディオ装置６の音量を減衰または零に制御することができる。
【００５０】
以上のように、この第５の実施例によれば、上述した第１の実施例から第４の実施例における情報処理制御装置４へ入力される各情報信号の条件に、この第５の実施例におけるランドマークの表示／非表示の選択を条件として更に追加、または組み合わせて用いることにより、車両がドライブスルーを利用しようとしていると認識する精度を著しく高めることができ、車載用オーディオ装置６の音量を確実に減衰または零に制御することができる。
【図面の簡単な説明】
【００５１】
【図１】本発明の実施例の要部構成を示すブロック図と、ドライブスルーで利用可能な施設における車両の向きを示す説明図である。
【図２】本発明の他の実施例の要部構成を示すブロック図である。
【符号の説明】
【００５２】
１      現在位置情報検出部
２      車速検出部
３      車両の向き検出部
４      情報処理制御部
５      パワーウィンド制御部
６      車載用オーディオ装置
７      施設情報検出部
８      目的地設定機能
９      ランドマーク表示／非表示切替機能
【図１】
2005340871.tif 000003
【図２】
2005340871.tif 000004